(57)【要約】      （修正有）【課題】操作円盤部を工具なしで容易かつ迅速に交換可能なジョグダイヤルを得る。【解決手段】光ディスク再生装置は回転方向および回転速度の指示入力を受け取るジョグダイヤルを備える。該ジョグダイヤルは、回転軸３２に固着され、その外周部に切欠き状の直線部および操作円盤部を載置するための載置部を有する軸受け４４と、中心部に切欠き状の直線部を有する係合孔を有し、該係合孔の切欠き状の直線部を介して前記軸受けに形成した切欠き状の直線部と係合する操作円盤部３０と、前記回転軸の回転方向および回転速度を検出し、検出した回転方向および回転速度をもとに前記再生指示信号を生成するための回転検出手段３３と、前記載置部上に載置した操作円盤部を前記載置部との間で狭持して保持する保持部３１とを備え、前記操作円盤部を前記回転軸に着脱自在に係合保持する。【選択図】  図２
2007073135.tif 000002
【特許請求の範囲】
【請求項１】
光ディスクに記録された信号を読み取り、読み取った信号をメモリに格納し、格納した信号を、制御部の指示する再生指示信号にしたがった順序および速度で読み出して再生する光ディスク再生装置において、
前記制御部は、回転方向および回転速度の指示入力を受け取るジョグダイヤルを備え、該ジョグダイヤルは、
回転軸に固着され、その外周部に切欠き状の直線部および操作円盤部を載置するための載置部を有する軸受けと、
中心部に切欠き状の直線部を有する係合孔を有し、該係合孔の切欠き状の直線部を介して前記軸受けに形成した切欠き状の直線部と係合する操作円盤部と、
前記回転軸の回転方向および回転速度を検出し、検出した回転方向および回転速度をもとに前記再生指示信号を生成するための回転検出手段と、
前記載置部上に載置した操作円盤部を前記載置部との間で狭持して保持する保持部とを備え、前記操作円盤部を前記回転軸に着脱自在に係合保持することを特徴とする光ディスク再生装置。
【請求項２】
光ディスクに記録された信号を読み取り、読み取った信号をメモリに格納し、格納した信号を、制御部の指示する再生指示信号にしたがった順序および速度で読み出して再生する光ディスク再生装置において、
前記制御部は、回転方向および回転速度の指示入力を受け取るジョグダイヤルを備え、該ジョグダイヤルは、
回転軸に固着され、操作円盤部を載置するための載置部を備えた軸受けと、
中心部に前記軸受けと係合する係合孔を有し、更に該係合孔の外周部に半径方向に細長の長円穴を備えた操作円盤部と、
前記回転軸の回転方向および回転速度を検出し、検出した回転方向および回転速度をもとに前記再生指示信号を生成するための回転検出手段と、
前記回転軸の両側に該軸と直交する方向に形成したスリットに係合する切欠きを備え、前記軸受けに形成した載置部上に載置した操作円盤部を前記載置部との間で狭持して保持する保持部を備え、
該保持部は前記長円穴に係合する凸部を備え、該凸部を前記長円穴に嵌合し、前記切欠きを前記回転軸に形成したスリットに嵌合して前記操作円盤部を前記載置部方向に押圧することにより、前記操作円盤部を前記軸受けに着脱自在に係合保持することを特徴とする光ディスク再生装置。
【請求項３】
請求項１または２記載の光ディスク再生装置において、
前記回転軸の外周に前記回転軸と同軸で回転可能な外側回転軸を備え、
該外側回転軸は円盤部を備え、該円盤部と前記操作円盤部の間にはシート部材を狭持したことを特徴とする光ディスク再生装置。
【請求項４】
請求項３記載の光ディスク再生装置において、
前記外側回転軸は該回転軸を回転駆動する電動機を備えたことを特徴とする光ディスク再生装置。
【発明の詳細な説明】
【技術分野】
【０００１】
本発明は、光ディスク再生装置に係り、特に光ディスクから読み出したデータを記憶部に記憶し、記憶したデータの読み出し速度あるいは読み出し順序を指示する操作円盤部を備えた光ディスク再生装置に関に関する。
【背景技術】
【０００２】
ディスクジョッキー（ＤＪ：Disc Jockey）は、光ディスク再生装置等の再生装置を操作してオーディオデータを再生する。再生に際して、例えば、アナログレコードあるいはコンパクトディスク（ＣＤ：Compact Disc）等のディスクに記録された信号を再生している途中に、擦れ音のような効果音を発生させるスクラッチ再生と呼ばれる特殊再生を行うことがある。
【０００３】
アナログレコードプレーヤを用いてスクラッチ再生を行う場合には、再生中のアナログレコードを通常の回転方向（正方向）あるいは逆方向に手動で素早く強制的に回すことにより擦れ音を発生させることができる。また、このようなアナログレコードプレーヤによるスクラッチ再生と同様のスクラッチ再生を行うことが可能なＣＤプレーヤが知られている（例えば、特許文献１及び特許文献２参照）。
【０００４】
図１４は、従来の光ディスク再生装置のジョグダイヤルを示す断面図である。図において、円盤部２７は、図示しないモータにより一定速度で回転する。また、円盤部２７は、図示しないスリット部を備え、図示しない第２光センサ部によりシャフト３２１の回転方向及び回転速度が検出される。
【０００５】
シャフト３２１は、上端部分に雌ネジ部３２２を備える。また、ストッパ部３１０は中心に孔を備え、該孔に固定ネジ３２２を挿入した状態でシャフトの雌ネジ３２２に締め付けられることによりストッパ部３１０をシャフト３２１に固定する。
【０００６】
ストッパ部３１０は、外周部分に下方に突出する凸部を備え、固定ネジによってストッパ部３１０がシャフト３２１に固定される際、この凸部によって操作円盤部３０を下方に押圧する。操作円盤部３０は、シート部２９を介して円盤部２７の上面に載置される。前記ストッパ部３１０に形成した凸部が操作円盤部３０を下方に押圧する押圧力によって、操作円盤部３０の上面とストッパ部３１０の凸部の下端との間には摩擦力が生じる。この摩擦力は操作円盤部３０とシート部２９との間の摩擦力より大きい。このことから、操作円盤部３０を回転すると、操作円盤部３０を下方に押圧するストッパ部３１０も回転し、ストッパ部３１０に固定されているシャフト３２１も同様に回転する。
【０００７】
したがって、ＤＪの回転操作による操作円盤部３０の回転状態はシャフト３２１に伝達され、操作円盤部３０とシャフト３２１は一体に回転する。
【０００８】
シャフト３２１は、下方部分に図示しない回転円盤部を備え、その回転円盤部の外周には図示しない第１光センサ部によってシャフトの回転方向及び回転速度を検出するためのスリット部を備える。図示しない制御部は、第１光センサ部と図示しない第２光センサ部が検出した円盤部２７と操作円盤部３０のそれぞれの回転方向及び回転速度に応じて、メモリに記憶されたオーディオデータの読み出し速度および読み出し順序を制御し、アナログレコードによる擦れ音と同等の効果音を発生させる。
【０００９】
このように、操作円盤部および記憶部（メモリ）を備え、ＣＤから再生したオーディオデータをメモリに記憶し、操作円盤部を通常回転方向あるいは逆回転方向に回転させることにより、メモリに記憶されたオーディオデータの読み出し速度および読み出し順序を制御して、アナログレコードによる擦れ音と同等の効果音を発生させることができる。
【特許文献１】特開２００５−１０８３１９号公報
【特許文献２】特開２００３−３４６４６９号公報
【発明の開示】
【発明が解決しようとする課題】
【００１０】
前述のように、ＤＪ用ＣＤプレーヤにおいては、アナログレコードと類似した操作円盤部を回転することにより、アナログレコードのターンテーブルと同様な操作感覚を得ることができる。しかし、操作円盤部とストッパ部の間またはストッパ部とシャフトの間に隙間があったり、経時変化あるいは部品の磨耗等により、隙間が大きくなった場合には、操作円盤部の回転が正確にシャフトに伝わらなくなる。この場合には、操作円盤部を曲のタイミングに合わせて正方向あるいは逆方向に素早く回転させても、シャフトの回転が操作円盤部の回転に追従せず、メモリに記憶されたオーディオデータの再生に誤差が生じてしまう。
【００１１】
また、図１４に示すように、固定ネジ３２２によってストッパ部３１０をシャフト３２１に固定する構成とすると、操作円盤部３０の回転操作に伴って、固定ネジ３２２に緩みが生じて、固定ネジ３２２がストッパ部３１０から外れてしまうことがある。
【００１２】
また、このようなＤＪ用の光ディスク再生装置を操作するＤＪは、備え付けの操作円盤部３０に代えて、ＤＪが自ら選択したオリジナルのプリントがされた別の操作円盤部を使用して光ディスク再生装置の操作を行いたいという要望がある。このようなオリジナルの操作円盤部は、曲調が替わる毎に、光ディスク再生装置により再生する曲の曲調に合った作円盤部に素早く交換できることが要望されている。
【００１３】
しかしながら、図１４に示すような従来の光ディスク再生装置は、操作円盤部３０とシャフト３２１とを接続するためのストッパ部３１０を固定ネジ３２２によってシャフト３２１の上面部分に固定している。このため、操作円盤部３０を交換するには、固定ネジ３２２を緩めたり締め付けるための専用の工具が必要となる。また、操作円盤部２７を迅速かつ容易に交換することができない。
【００１４】
本発明は、これらの問題点に鑑みてなされたもので、操作円盤部の回転を正確にシャフトに伝達させることができると共に、操作円盤部を工具を必要としないで迅速かつ容易に交換することができる光ディスク再生装置を提供するものである。
【課題を解決するための手段】
【００１５】
本発明は上記課題を解決するため、次のような手段を採用した。
【００１６】
光ディスクに記録された信号を読み取り、読み取った信号をメモリに格納し、格納した信号を、制御部の指示する再生指示信号にしたがった順序および速度で読み出して再生する光ディスク再生装置において、前記制御部は、回転方向および回転速度の指示入力を受け取るジョグダイヤルを備え、該ジョグダイヤルは、回転軸に固着され、その外周部に切欠き状の直線部および操作円盤部を載置するための載置部を有する軸受けと、中心部に切欠き状の直線部を有する係合孔を有し、該係合孔の切欠き状の直線部を介して前記軸受けに形成した切欠き状の直線部と係合する操作円盤部と、前記回転軸の回転方向および回転速度を検出し、検出した回転方向および回転速度をもとに前記再生指示信号を生成するための回転検出手段と、前記載置部上に載置した操作円盤部を前記載置部との間で狭持して保持する保持部とを備え、前記操作円盤部を前記回転軸に着脱自在に係合保持する。
【発明の効果】
【００１７】
本発明は、以上の構成を備えるため、操作円盤部の回転を正確にシャフトに伝達させることができると共に、操作円盤部を工具を必要としないで容易かつ迅速に交換することができる。
【発明を実施するための最良の形態】
【００１８】
以下、最良の実施形態を添付図面を参照しながら説明する。図１は、本発明の実施形態に係る光ディスク再生装置を説明する図である。図１において、光ディスク再生装置はターンテーブル１、スピンドルモータ２、サーボ制御部３、光ピックアップ４、再生アンプ５、信号処理部６、メモリ制御部７、ＲＡＭ (Random Access Memory)８、ＤＡＣ(Digital Analog Converter)９、アンプ１０、出力端子１１、制御部１２、表示部１３および操作部１４を備える。操作部１４は、読み出し指示部とジョグダイヤルを備え、ジョグダイヤルからの回転速度および回転方向に応じて、ＣＤから再生されＲＡＭ８に記憶されたデジタルオーディオデータの読み出し速度および読み出し順序を変えることができる。
【００１９】
スピンドルモータ２に固定されたターンテーブル１は、ＣＤを保持し回転駆動する。操作部１４から再生開始の指示が入力されると、サーボ制御部３は、スピンドルモータ２を所定の線速度で回転駆動する。また、サーボ制御部３は、光ピックアップ４からのレーザ光がＣＤのビット列を正しくトレースするように図示しないフォーカスサーボ回路およびトラッキングサーボ回路を制御する。
【００２０】
光ピックアップ４が読み取ったデジタルオーディオデータは、再生アンプ５により波形整形及び増幅されたのち、信号処理部６に入力される。信号処理部６は、デジタルオーディオデータの復調、フォーカスエラー信号やトラッキングエラー信号等のエラー信号処理、同期信号の抜き出し等の処理をしたのちデジタルオーディオデータをメモリ制御部７に入力する。
【００２１】
メモリ制御部７は、入力されたデジタルオーディオデータをＲＡＭ８に入力するよう制御する。ＲＡＭ８は、入力されたデジタルオーディオデータを記憶する。ＲＡＭ８に記憶したデジタルオーディオデータは、メモリ制御部７の制御により読み出されＤＡＣ９に入力される。ＤＡＣ９は、デジタルオーディオデータをアナログオーディオ信号に変換する。ＤＡＣ９により変換されたアナログオーディオ信号は、アンプ１０により増幅され出力端子１１から出力される。
【００２２】
表示部１３は、現在再生しているトラックの再生時間、トラックナンバー等を表示する。操作部１４は、再生／再生停止指示やイジェクト指示などのあらかじめ定めた指示を受け付けるための入力スイッチを備える。
【００２３】
図２は、本発明に係る光ディスク再生装置の操作部１４が備えるジョグダイヤル部の側断面を示す図である。図２に示すように、ジョグダイヤル部はパネル２１、モータ２２、円盤部２７、シート部２９、操作円盤部３０、保持部３１、軸受け４４を備える。また、モータ２２は、鉄心２３、巻き線２４、磁石２５、磁石固定部２６、ベース２８、回転軸３２（内側回転軸）、第２光センサ部３３、スケール保持部３４、スケール部３５、第１光センサ部３６、スケール保持部３７、スケール部３８、Ｅリング３９、ネジ４０、軸受け４１、軸受け４２、軸受け４３、回転軸４５（外側回転軸）、スラスト軸受け４６、ホール素子４７、基板４８から構成される。
【００２４】
操作円盤部３０は、直径１０ｃｍないし３０ｃｍのアナログレコードの大きさに相当する円盤状のジョグダイヤルにより構成され、光ディスク再生装置の上面に取り付けられている。また、モータ２２は光ディスク再生装置のパネル２１にネジ４０により固定されている。
【００２５】
円盤部２７の回転状態を検出するためのスケール部３８は、モータ２２の回転軸４５に取り付けたスケール保持部３７にネジで固定されている。第１光センサ部３６は、ネジによってモータ２２のベース２８に固定されている。また、スケール保持部３７は、回転軸４５に固定されている。
【００２６】
操作円盤部３０の保持シャフトである回転軸３２は、スラスト軸受け４６により保持されている。また、回転軸３２は、軸受け４３に挿入した状態で軸受け４３に軸支されている。操作円盤部３０の回転状態を検出するためのスケール部３５は、スケール保持部３４にネジで固定されている。また、スケール保持部３４は、Ｅリング３９を介して回転軸３２に挿入されている。第２光センサ部３３は、ネジでベース２８に固定されている。
【００２７】
シート部２９は、円盤部２７の上面に載置されている。軸受け４４は、図示しないネジによって回転軸３２に固定される。操作円盤部３０は、シート部２９の上面に載置されてしる。なお、シート部２９は摩擦係数の小さい樹脂等の材料で形成される。
【００２８】
保持部３１は、操作円盤部３０の上面に載置されており、後述するように保持部３１に設けられた凸部３１ａが操作円盤部３０に設けられた長円穴３０ｂに挿入することにより、シート部２９および操作円盤部３０を保持する。
【００２９】
これにより、ＤＪの回転操作による操作円盤部３０の回転状態は、回転軸３２を介して、スケール保持部３４に取り付けられたスケール部３５に確実に伝達され、操作円盤部３０とスケール部３５とは一体に回転する。
【００３０】
図３は、第２光センサ部３３およびスケール部３５を説明する図であり、図３（ａ）は、スケール部３５の上面を示す図、図３（ｂ）は、図３（ａ）の点線円の部分を拡大した図である。
【００３１】
図３（ａ）に示すように、スケール部３５の外周部には、等間隔に長方形のスリット部３５ａが設けられている。また、スケール部３８は、スケール部３５と同様にその外周部に等間隔に長方形状のスリット部が設けられている。
【００３２】
第２光センサ部３３は、図３（ｂ）に示すように、操作円盤部３０と一体に回転するスケール部３５の回転方向を検出するために、２つの光センサ３３ａおよび３３ｂを備え、スリット部３５ａを検出できるようにモータ２２のベース２８に固定されている。また、第１光センサ部３６は、第２光センサ部３３と同様に２つの光センサを備え、スリット部を検出できるようにモータ２２のベース２８に固定されている。
【００３３】
第１光センサ部３６は、スケール部３８のスリット部を検出し、円盤部２７の回転状態（回転速度および回転方向）に応じた第１パルス信号を発生し、制御部１２に入力する。また、第２光センサ部３３は、スケール部３５のスリット部３５ａを検出し、操作円盤部３０の回転状態（回転速度および回転方向）に応じた第２パルス信号を発生し、制御部１２に入力する。
【００３４】
制御部１２は、第１光センサ部３６から入力された第１パルス信号から、円盤部２７の回転速度を予め定められた速度に保つようにモータ２２を制御する。また、制御部１２は、第２光センサ部３３から入力される第２パルス信号に応じて、ＲＡＭに記憶されたデジタルオーディオデータの読み出す速度および方向を判別しメモリ制御部７を制御する。
【００３５】
本実施形態の光ディスク再生装置では、ＣＤに記録されたオーディオデータを再生する場合、モータ２２を予め定められた速度で回転させる。これにより、シート部２９、操作円盤部３０、スケール部３５およびスケール部３８は、円盤部２７と同じ速度で回転する。ここで、操作円盤部３０は、円盤部２７の回転に追従するように載置されているシート部２９との摩擦により、円盤部２７と同じ回転速度で回転する。
【００３６】
また、操作円盤部３０を操作した際、予め定められた速度で回転している円盤部２７の回転速度が変化すると、制御部１２は、第１光センサ部３６から一定時間に入力された第１パルス信号のパルス数に応じて、回転部２７の回転速度が予め定められた速度を保つようにモータ２２を制御する。
【００３７】
図４は、第２光センサ部３３により操作円盤部３０の回転方向を判別する方法を説明する図である。
【００３８】
図３（ｂ）に示すように、第２光センサ部３３が備える光センサ３３ａおよび光センサ３３ｂは、スリット部３５ａを検出したとき、ＯＮを示す第２パルス信号を出力し、スリット部３５ａを検出できないとき、ＯＦＦを示す第２パルス信号を出力する。
【００３９】
光センサ３３ａおよび３３ｂは、それぞれ出力される第２パルス信号の組み合わせとして、次の４通りの出力パターンが発生する。
【００４０】
＃１：３３ａ−ＯＮ、３３ｂ−ＯＦＦ
＃２：３３ａ−ＯＮ、３３ｂ−ＯＮ
＃３：３３ａ−ＯＦＦ、３３ｂ−ＯＮ
＃４：３３ａ−ＯＦＦ、３３ｂ−ＯＦＦ
ここで、光センサ３３ａは、光センサ３３ｂに対して、（ｎピッチ＋１／４ピッチ）だけ正方向に進んだ位置にセットされているとすると、操作円盤部３０が正方向に回転した湯合は、図４（ａ）に示すように、
＃４→＃１→＃２→＃３→＃４→＃１→・・・・
の順で上述した出力パターンが発生する。
【００４１】
一方、操作円盤部３０が逆方向に回転した場合は、図４（ｂ）に示すように、
＃１→＃４→＃３→＃２→＃１→＃４→・・・・
の順で上述したパターンが発生する。
【００４２】
制御部１２は、上記の出力パターンの発生順序の違いを検出し、操作円盤部３０の回転方向を判別することができる。同様に、円盤部２７の回転方向の判別についても、第１光センサ部３６が備える２つの光センサ３６からそれぞれ出力される第１パルス信号の出力パターンから、制御部１２が円盤部２７の回転方向を判別することができる。
【００４３】
本実施形態の光ディスク再生装置を用いて、スクラッチ再生を行う場合、ＤＪは、手で操作円盤部３０を素早く正方向または逆方向に回転させる操作を繰り返す。制御部１２は、第２光センサ部３３から入力される第２パルス信号から、操作円盤部３０の回転速度および回転方向を判別する。制御部１２は、判別した回転速度および回転方向に応じて、メモリ制御部７を制御する。メモリ制御部７は、ＲＡＭ８に記憶されたデジタルオーディオデータの読み出し速度および読み出し順序を制御する。これにより、ＲＡＭ８から読み出されたデジタルオーディオデータは、ＤＡＣ９を介してアナログオーディオ信号に変換され、さらにアンプ１０により増幅されて出力信号１１に接続したスピーカから擦れ音のような効果音として出力される。
【００４４】
このように、本実施例の光ディスク再生装置では、アナログレコードを用いて特殊再生を行う操作と同様の操作をすることができる。
【００４５】
以上の説明から明らかなように、本実施形態の光ディスク再生装置を用いて、アナログレコードを用いて特殊再生を行う操作と同様のスクラッチ再生を実現するためには、操作円盤部３０を操作した際、その操作円盤部３０の回転速度および回転方向が保持部３１、回転軸３２、保持部３４を介して、スケール部３５に正確に伝達されることが必要である。そのためには、操作円盤部３０と保持部３１と回転軸３２の結合に隙間がないことが求められる。
【００４６】
次に、本実施形態の光ディスク再生装置の操作円盤部３０、軸受け４４、保持部３１及び回転軸３２の構成について説明する。
【００４７】
図５は、回転軸３２の構成を示す図であり、図５（ａ）は上面図、図５（ｂ）は図５（ａ）の断面図、図５（ｃ）は回転軸３２を中心に図５（ｂ）から９０度回転した方向から見た断面図である。
【００４８】
図に示すように、回転軸３２は、回転軸に対して直交する方向に一対のスリット３２ａが形成されている。また、スリット３２ａに対して直交する方向に凹部３２ｂが形成されている。
【００４９】
図６は、回転軸３２に固定される軸受け４４の構成を示す図であり、図６（ａ）は上面図、図６（ｂ）は断面図、図６（ｃ）は回転軸３２の軸を中心に図６（ｂ）から９０度回転した方向から見た断面図である。
【００５０】
軸受け４４は、円盤型であり中央に孔４４ｂを備え、外周に操作円盤部３０を載置するために外周方向に円環状に突出する載置部４４ｃを備える。軸受け４４は上部の外周の一部分に切欠き状の直線部４４ａが形成されており、これにより載置部４４ｃの上部はＤ形状を形成している。また、載置部４４ｃは、外周に雌ネジ部４４ｄを備える。この雌ネジ部４４ｄには、後述するネジ４０が締め付けられる。
【００５１】
図７は、回転軸３２に軸受け４４を固定した状態を示す図であり、図７（ａ）は上面図、図７（ｂ）は断面図である。
【００５２】
図に示すように、軸受け４４を回転軸３２に挿入した後、回転軸３２の凹部３２ｂの位置と軸受け４４の雌ネジ部４４ｄの位置とを合わせる。次に、ネジ４０を雌ネジ部４４ｄに挿入し、ネジ４０のネジ頭部が凹部３２ｂの底部に当接するまでネジ４０を締め付ける。これによって、軸受け４４を回転軸３２に固定することができる。
【００５３】
図８は、操作円盤部３０とシート部２９を示す図であり、図８（ａ）は操作円盤部３０を示す上面図、図８（ｂ）はシート部２９を示す上面図である。
【００５４】
操作円盤部３０は、中心に軸受け４４のＤ型形状部分よりも僅かに大きいＤ型形状となるように切欠き状の直線部３０ｃが形成されたＤ型形状孔３０ａを備える。また、操作円盤部３０は、Ｄ型形状孔３０ａを中心として対称となる位置にそれぞれ長円穴３０ｂを備える。なお、長円穴３０ｂは、長手方向が前記直線部３０ｃと平行となるように形成されている。
【００５５】
シート部２９は、その中心に、前記軸受け４４の載置部４４ｃの外周の径よりも僅かに大きい径の円形の孔２９ａを備える。
【００５６】
図９は、保持部３１の構成を示す図であり、図９（ａ）は下面図、図９（ｂ）は図９（ａ）のＢ−Ｂ断面図、図９（ｃ）は図９（ａ）のＣ−Ｃ断面図、図９（ｄ）は図９（ａ）の側面図、図９（ｅ）は上面図である。
【００５７】
図に示すように、保持部３１は、上面が内周から外周にかけて球面となるような円盤型をしている。保持部３１は、外周の一部分から中央部分に亘って上下に貫通する切欠き３１ｃが形成され、その切欠き３１ｃの側壁には傾斜部３１ｂが形成されている。保持部３１は、切欠き３１ｃに対して直交する方向であって保持部３１の中心に対して対称となる位置にそれぞれ下方に突出する凸部３１ａを備える。
【００５８】
図１０は、図７に示す状態から円盤部２７の上面にシート部２９及び操作円盤部３０を載置した状態を示す図であり、図１０（ａ）は上面図、図１０（ｂ）は断面図、図１０（ｃ）は回転軸３２の軸を中心に図１０（ｂ）の位置から９０度回転した方向から見た断面図である。
【００５９】
図に示すように、シート部２９は、軸受け４４の載置部４４ｃの外周部分に、孔２９ａを挿入した状態で円盤部２７の上面に載置される。このとき、シート部２９の上面の高さは、軸受け４４の載置部４４ｃの上面と略同一の高さとなるようにする。また、シート部２９上には操作円盤部３０を載置する。また、操作円盤部３０の上面の高さは軸受け４４の上面と略同一の高さとなるようにする。
【００６０】
なお、このとき、切欠き状の直線部（Ｄ型形状の直線部）が形成された軸受４４の外周部に、中心部に切欠き状の直線部を有する係合孔（Ｄ型形状孔）３０ａが形成された操作円盤部３０を嵌合するように配置する。これにより、操作円盤部３０は回転軸３２に強固に固着することができる。
【００６１】
図１１は、保持部３１を操作円盤部３０の上面に装着する方法を説明する図であり、図１１（ａ）は上面図、図１１（ｂ）は図１１（ａ）の断面図である。
【００６２】
保持部３１の切欠き３１ｃを回転軸３２の方向に向けた状態で、保持部３１を操作円盤部３０の上面に載置し、次に、図１１（ａ）に示すように、保持部３１を矢印Ｙ方向に移動する。すると、保持部３１の切欠き３１ｃが回転軸３２のスリット３２ａに入り込む。このとき、保持部３１には上方向に反りが発生し、この反りの弾性により矢印Ｖの方向に押圧力が発生する。
【００６３】
図１２は、図１１示す状態から保持部３１の凸部３１ａが操作円盤部３０の長円穴３０ｂに嵌入された状態を示す図であり、図１２（ａ）は上面図、図１２（ｂ）は図１２（ａ）の断面図である。
【００６４】
図１１に示す状態から、更に保持部３１を回転軸３２の中央方向に移動させると、図１２（ａ）及び（ｂ）に示すように、保持部３１の凸部３１ａが操作円盤部３０の長円穴３０ｂに入り込み、保持部３１が回転軸３２に固定される。このとき、保持部３１は、凸部３１ａが長円穴３０ｂに入り込むことによって、回転軸３２に対して保持部３１の空回りが防止され回り止めとなる。また、この状態で、保持部３１の傾斜部３１ｂが回転軸３２のスリット３２ａによって軸受４４の載置部方向に押圧されることにより、保持部３１の外周部分が操作円盤部３０の上面を下方に押圧する。
【００６５】
この状態でＤＪが操作円盤部３０を回転操作すると、軸受け４４のＤ型形状部分がＤ型形状孔３０ａに係合していると共に、凸部３１ａが操作円盤部３０の長円穴３０ｂに嵌合していることにより、軸受け４４及び保持部３１も操作円盤部３０と同様に回転する。軸受け４４及び保持部３１が回転することにより、回転軸３２も同様に回転する。この結果、操作円盤部３０が回転操作されると回転軸３２も同様に回転することとなる。
【００６６】
このように、操作円盤部３０の回転は保持部３１、回転軸３２、保持部３４を介して、スケール部３５に正確に伝達することができる。
【００６７】
このとき、例えば、操作円盤部３０のＤ型形状孔３０ａの内壁部分と軸受け４４のＤ型形状部分の外周部分に隙間があっても、操作円盤部３０の長円穴３０ｂと保持部３１の凸部３１ａとの間に隙間がなければ、操作円盤部３０の回転と回転軸３２の回転との間にズレは生じない。一方、操作円盤部３０の長円穴３０ｂと保持部３１の凸部３１ａとの間に隙間があったとしても、操作円盤部３０のＤ型形状孔３０ａの内壁部分と軸受け４４のＤ型形状部分の外周部分に隙間がなければ、操作円盤部３０の回転と回転軸３２の回転との間にズレが生じない。
【００６８】
さらに、例えば、操作円盤部３０を交換した場合、交換した操作円盤部３０の厚みにバラつきがある場合でも、保持部３１の外周部分が常に操作円盤部３０の上面を下方に押圧している状態となるので、操作円盤部３０の上面と保持部３１の下面との間には隙間が生じない。このため、操作円盤部３０の回転と回転軸３２の回転との間にはズレが生じない。
【００６９】
また、回転軸３２に保持部３１を差し込むことによって操作円盤部３０を回転軸３２に固定する構成としているので、従来の光ディスク再生装置のように、固定ネジによって操作円盤部をシャフトに固定する構成とすることによって固定ネジに緩みが生じてしまい、固定ネジが外れてしまうことがない。
【００７０】
操作円盤部３０を他の操作円盤部に交換する場合は、図１２に示す状態から保持部３１の外周部分を少し上方へ持ち上げながら図１１（ａ）に示す矢印Ｙ方向と反対の方向に保持部３１を移動させることにより、回転軸３２から保持部３１を簡単に取り外すことができる。
【００７１】
次いで、シート部２９に載置されている操作円盤部３０を他の操作円盤部に交換した後、前述したのと同様に、保持部３１を回転軸３２に固定する。
【００７２】
このように、本実施形態の光ディスク再生装置は、シート部２９を介して円盤部２７の上面に載置した操作円盤部３０を回転操作しても、操作円盤部３０の回転と回転軸３２の回転との間にズレが生じるのを防止することができる。また、操作円盤部３０を交換するために、固定ネジを緩めたり締め付けるための専用の工具を必要としないので、操作円盤部３０を他の操作円盤部に容易かつ素早く交換することができる。
【００７３】
図１３は、本発明の他の実施形態を示す図であり、図１３（ａ）は保持部の構成を示す上面図、図１３（ｂ）は図１３（ａ）の断面図、図１３（ｃ）は図１３（ａ）及び図１３（ｂ）に示す保持部が操作円盤部３０の上面に装着された状態から取り外す様子を説明する断面図である。
【００７４】
図１３（ａ）及び（ｂ）に示すように、保持部３１は、図９に示す保持部の構成に加えて、上面にアーム３１ｄを備える。アーム３１ｄは、凸部３１ａの上方となる上面の位置に配設される。このように、保持部３１の上面にアーム３１ｄを備えることによって、保持部３１が操作円盤部３０の上面に装着された状態から保持部３１を取り外そうとする場合は、図１３（ｃ）に示すように、アーム３１ｄの上方部分を内側に押圧し、保持部３１の外周を上方にへたわませる。これにより凸部３１ａは長円穴３０ｂから簡単に外すことができる。次いでこの状態から保持部３１を移動させることにょり、回転軸３２から保持部３１を簡単に取り外すことができる。
【００７５】
本実施形態の光ディスク再生装置は、操作円盤部３０に長円穴３０ｂを備え、保持部３１に凸部３１ａを備える構成としたが、操作円盤部３０のＤ型形状孔３０ａと軸受け４４のＤ型形状の部分が隙間無く嵌合する場合は、長円穴３０ｂ及び凸部３１ａを備えない構成としても良い。これにより、保持部３１を操作円盤部３０の上面から取り外そうとする場合に、保持部３１を容易に取り外すことがでる。また、この場合は操作円盤部３０及び保持部３１の生産コストを低減することができる。また、本実施形態の光ディスク再生装置は、操作円盤部３０にＤ型形状孔３０ａを備え、軸受け４４に直線部４４ａを備える構成としたが、保持部３１の凸部３１ａと操作円盤部３０の長円穴３０ｂに隙間が生じない場合は、Ｄ型形状孔３０ａ及び直線部４４ａを備えない構成としても良い。これにより、操作円盤部３０及び軸受け４４の生産コストを低減させることができる。
【図面の簡単な説明】
【００７６】
【図１】本発明の実施形態に係る光ディスク再生装置を説明する図である。
【図２】ＣＤプレーヤの操作部１４が備えるジョグダイヤル部の側断を示す図である。
【図３】第２光センサ部３３およびスケール部３５を説明する図である。
【図４】第２光センサ部３３により操作円盤部３０の回転方向を判別する方法を説明する図である。
【図５】回転軸３２の構成を示す図である。
【図６】回転軸３２に固定される軸受け４４の構成を示す図である。
【図７】回転軸３２に軸受け４４を固定した状態を示す図である。
【図８】操作円盤部３０とシート部２９を示す図である。
【図９】保持部３１の構成を示す図である。
【図１０】図７に示す状態から円盤部２７の上面にシート部２９及び操作円盤部３０を載置した状態を示す図である。
【図１１】保持部３１を操作円盤部３０の上面に装着する方法を説明する図である。
【図１２】図１１示す状態から保持部３１の凸部３１ａが操作円盤部３０の長円穴３０ｂに嵌入された状態を示す図である。
【図１３】本発明の他の実施形態を示す図である。
【図１４】従来の光ディスク再生装置のジョグダイヤルを示す断面図である。
【符号の説明】
【００７７】
１  ターンテーブル
２  スピンドルモータ
３  サーボ制御部
４  光ピックアップ  
５  再生アンプ
６  信号処理部
７  メモリ制御部
８  ＲＡＭ
９  ＤＡＣ
１０  アンプ
１１  出力端子
１２  制御部
１３  表示部
１４  操作部
２１  パネル部
２２  モータ
２３  鉄心
２４  巻線
２５  磁石
２６  磁石固定部
２７  円盤部  
２８  ベース
２９  シート部
３０  操作円盤部
３０ａ  Ｄ型形状孔
３０ｂ  長円穴
３０ｃ  直線部  
３１  保持部
３１ａ  凸部
３１ｂ  傾斜部
３１ｃ  切欠き
３１ｄ  アーム
３２  回転軸（内側回転軸）
３２ａ  スリット
３２ｂ  凹部  
３３  第２光センサ部
３３ａ，３３ｂ  光センサ
３４，３７  スケール保持部
３５，３８  スケール部  
３５ａ  スリット部
３６  第１光センサ部
３９  Ｅリング
４０  ネジ
４１，４２，４３，４４  軸受け
４４ａ  直線部
４４ｂ  孔
４４ｃ  載置部
４４ｄ  雌ネジ部  
４５  回転軸（外側回転軸）
４６  スラスト軸受け
４７  ホール素子
４８  基板
【図１】
2007073135.tif 000003
【図２】
2007073135.tif 000004
【図３】
2007073135.tif 000005
【図４】
2007073135.tif 000006
【図５】
2007073135.tif 000007
【図６】
2007073135.tif 000008
【図７】
2007073135.tif 000009
【図８】
2007073135.tif 000010
【図９】
2007073135.tif 000011
【図１０】
2007073135.tif 000012
【図１１】
2007073135.tif 000013
【図１２】
2007073135.tif 000014
【図１３】
2007073135.tif 000015
【図１４】
2007073135.tif 000016